(57)【要約】      （修正有）【課題】接合部は、ルアー本体に対する垂直断面よりも長くとることができ、使用時に、斜め方向に位置する接合部に沿って、部分相互は動き、動きがアクションに加わるルアーを提供する。一方の接合部が他方の接合部に対して、接合線に沿って、ルアーの幅方向にダイナミックに、ねじれる動きで、奇抜に、新たな変化をもって、動くことができるルアーを提供する。【解決手段】本体部分１１は頭部１２から尾部１３にかけて、複数の部分１２、１３からなる。部分１２、１３相互は、頭部から尾部にかけての長手方向Ａに対して斜め、特に、頭部１２から尾部１３にかけての長手方向Ａに対して斜め方向１５度から６０度である方向に位置する接合部２１に沿って設けられた複数の連結部２２で取付けられたルアー。更に、ルアー用尾の形状を大きくすることで、ルアーに本来の魚の動きに近いルアーアクションを生み出す。【選択図】図１
2018068275.tif 000002
【特許請求の範囲】
【請求項１】
本体部分は頭部から尾部にかけて、複数の部分からなり、
部分相互は、頭部から尾部にかけての長手方向に対して斜め方向に位置する接合部に沿って設けられた複数の連結部で取付けられたルアー。
【請求項２】
頭部から尾部にかけての長手方向に対して斜め方向１５度から６０度である接合部、
からなる請求項１記載のルアー。
【請求項３】
面状からなり、ルアー本体部分に取り付けられ、ルアー本体である本体部分の面積に対して５０〜１００パーセントからなるルアー用尾。
【請求項４】
面状からなり、ルアー本体部分に取り付けられ、本体部分の面積に対して、６０パーセント乃至７０パーセントからなるルアー用尾。
【請求項５】
面状からなり、ルアー本体部分に取り付けられ、本体部分の面積に対して７０パーセントからなるルアー用尾。
【請求項６】
本体部分に取り付けられるルアー用尾は、面状からなり、ルアー本体である本体部分の面積に対して５０〜１００パーセントからなる請求項１乃至２記載のルアー。
【請求項７】
本体部分に取り付けられるルアー用尾は、面状からなり、本体部分の面積に対して、６０パーセント乃至７０パーセントからなる請求項１乃至２記載のルアー。
【請求項８】
本体部分に取り付けられるルアー用尾は、面状からなり、本体部分の面積に対して７０パーセントからなる請求項１乃至２記載のルアー。
【発明の詳細な説明】
【技術分野】
【０００１】
本発明は、ルアー及びルアー用尾に係る。
【背景技術】
【０００２】
ルアーあるいは疑似餌としては、特許文献１記載の「ルアーの自動回転翼装置及びそのルアー」記載の発明が知られている。
特許文献１「ルアーの自動回転翼装置及びそのルアー」記載の発明は、「そしてスペーサー６を両側に介して、ルアーの構成をなす部材を備えたルアー前部１とルアー後部３の中間に回転軸７で取り付けしてルアーとする。」からなる（特許文献１［要約］［解決手段］、図面）。すなわち、特許文献１記載発明では、ルアー前部１、回転部２、ルアー後部３とからなり、それぞれは、魚の背骨に相当する頭部から尾部にかけてのルアー長手方向である回転軸７に対してほぼ直角の断面でいわば輪切りにされて相互に接合されている。
あるいは、背骨相当部分に対してほぼ垂直に切断面を設け、ルアー長手方向に対して直角な断面で接合されている。
【０００３】
特許文献２に記載される「釣用ルアー」は、前部と後部とからなり、正面図あるいは背面図に図示されるように、ルアー側面の湾曲部よりやや尾側で前部と後部とは接合される。そのため、前部と後部の接合面はともに、一見ルアー長手方向に対して傾斜しているように見えるが、魚の背骨相当部分である頭部から尾部にかけてのルアーの中心線に対してはほぼ垂直の断面であり、全体的に見ればルアー頭部から尾部にかけての長手方向に対して直角な断面で接合される。
【０００４】
特許文献３に記載される「釣用ルアー」も、前部と後部とからなる。平面図あるいは底面図からわかるように、前部と後部との接合面はともに湾曲しているが、正面図あるいは背面図からわかるように、前部と後部との接合面は、魚の背骨相当部分である頭部から尾部にかけての長手方向であるルアーの中心線に対してはほぼ直角断面である。すなわち、ルアー長手方向に対して直角な断面で接合されている。
特許文献１乃至３では、前部と後部とは、ルアー正面あるいは側面に対して、正面方向背面方向あるいは両面方向に動く。実際の魚の動きが背骨を中心として動くと想定したためとも考えられる。魚の動きに似せるためにルアーにおける、魚の背骨相当部分を中心として直角に動くことができる様になっていると推測される。
それ以外の従来の接合部で複数の部分を接合されるルアー、疑似餌は、実際の魚の動きが背骨を中心として動くと想定したためとも考えられるため、ルアー長手方向に対して直角な断面で接合されている。
【０００５】
「クローラーミッション カスタムモデル」、「WEB限定品［2016ジョインテッドウルラ］カスタムモデル」、「14,904円、Betta Crank 5,378円」、「WEB SP［HIGE Betta］2,700円」、「サニーベタクランク5,378円」、「限定カラーストック［Sunny Betta］Ver.1.5、5,184円」、「2014 WEB限定販売［jointed ulula］14,040円」
（非特許文献１  THE OWL GENE LURE’S、オウルジーンズオフィシャルホームページ  ［online］TEL＆FAX.086-277-2323、mail:artstudiohibou@yahoo.co.jp
〒703-8271 岡山県岡山市中区円山842  2016年9月27日現在）。
非特許文献１記載のこれらルアーでは、本体部分は頭部から尾部にかけての前部と後部とからなる。前部と後部との接合面はルアー頭部から尾部にかけてのルアー長手方向に対して斜めとなっている。部分相互の接合部は、頭部から尾部にかけての長手方向に対して斜め方向に位置する。
前部と後部とは、接合面のほぼ中央一か所で接合している。
【０００６】
特許文献４は、「ルアー」に係り、「魚釣りに用いるルアーであって、ルアー本体１の尾部に水流抵抗をうける、紐状又は平板状で少なくとも１本以上の水流抵抗体４が設けられていることを特徴とするルアー。」からなる（特許文献４  請求項１）。
特許文献５は、「ルアー」に係り、「尾びれ１」を有する。
【先行技術文献】
【特許文献】
【０００７】
【特許文献１】特開平９−２６６７３７号公報
【特許文献２】意匠登録１２３３５１７号公報
【特許文献３】意匠登録１２５３４７０号公報
【特許文献４】特開２００３−１０２３４１号公報
【特許文献５】特開２００８−２５３２４０号公報
【非特許文献】
【０００８】
【非特許文献１】THE OWL GENE LURE’S、オウルジーンズオフィシャルホームページ  ［online］TEL＆FAX.086-277-2323、mail:artstudiohibou@yahoo.co.jp  〒703-8271 岡山県岡山市中区円山842  2016年9月27日  現在）http://theowlgenelures.com/wp/wp-content/uploads/2016/03/BETTAannai.jpghttp://theowlgenelures.com/?page_id=153
【発明の概要】
【発明が解決しようとする課題】
【０００９】
特許文献１「ルアーの自動回転翼装置及びそのルアー」記載の発明、特許文献２記載発明「釣用ルアー」の意匠、特許文献３記載の「釣用ルアー」の意匠ともに、ルアー頭部から尾部にかけてのルアー長手方向に対してほぼ直角の断面でいわば輪切りにされて相互に接合されルアー正面あるいは側面に対して、正面方向背面方向あるいは両側面方向に動く。
そのため、ルアー全体で、ダイナミックな動きをしづらい問題点を有する。
非特許文献１記載のルアーでは、頭部（前部）と尾部（後部）とからなり、頭部と尾部との接合面は、ルアーの頭部から尾部にかけての長手方向に対して斜めとなっている。しかし、頭部と尾部とは、接合面のほぼ中央一か所の連結部で接合している。そのため、頭部と尾部とは、中央一か所の連結部（連結点）を中心として回転して動くが、ルアーの振幅にわたってダイナミックに動くことは無い。
【００１０】
特許文献４「ルアー」記載の尾は、「紐状又は平板状で少なくとも１本以上の水流抵抗体４が設けられている」からなり、面からなるものではない。
特許文献５「ルアー」記載の尾は、面積において尾より前部の本体と比較して、ルアーを横に置いた状態すなわち寝かせた状態で、ルアー本体の面積（１００パーセント）に対して、２０〜３０パーセントと小さい。
従来のルアーの面状からなる尾は、特許文献５「ルアー」記載を含め、面積において尾より前部の本体と比較して、ルアーを横に置いた状態すなわち寝かせた状態で、ルアー本体の面積（１００パーセント）に対して、２０乃至３０パーセントと小さい。
【課題を解決するための手段】
【００１１】
本発明のルアーは、
本体部分は頭部から尾部にかけて、複数の部分からなり、
部分相互は、頭部から尾部にかけての長手方向に対して斜め方向に位置する接合部に沿って設けられた複数の連結部で取付けられる。
からなる。
【００１２】
本発明のルアーは、更に、
頭部から尾部にかけての長手方向に対して斜め方向１５度から６０度である接合部。
からなる。
【００１３】
本発明のルアーは、更に、
本体部分に取り付けられるルアー用尾は、面状からなり、ルアー本体である本体部分の面積に対して、５０〜１００パーセントからなる。
【００１４】
本発明のルアーは、更に、
本体部分に取り付けられるルアー用尾は、面状からなり、本体部分の面積に対して、６０パーセント乃至７０パーセントからなる。
【００１５】
本発明のルアーは、更に、
本体部分に取り付けられるルアー用尾は、面状からなり、本体部分の面積に対して７０パーセントからなる。
【発明の効果】
【００１６】
この発明は、魚の動きに似せる事だけが、ルアーではないとの考えに基づいてなされたものである。更には、本来の魚は、内部の筋肉の作用自律的に動くが、ルアーは牽引するリードの操作により外部から他律的に動かされる点で、魚とルアーとでは駆動方法が元々異なっている。そのためルアーを本来の魚と同様な形状にすれば、ルアーは本来の魚と同様な動きをすることにはならないとの認識に基づくものである。
【００１７】
この発明では、ルアー本体を構成する部分相互は、頭部から尾部にかけての長手方向に対して斜め方向に位置する接合部に沿って設けられた複数の連結部で取付ける。
そのため、接合部は、ルアー本体に対する垂直断面よりも長くとることができ、使用時に、斜め方向に位置する接合部に沿って、部分相互は動き、従来のルアーには無いいわば、ねじれの動きがアクションに加わる。
すなわち、一方の接合部が他方の接合部に対して、接合線に沿って、ルアーの幅方向にダイナミックに、ねじれる動きで、奇抜に、新たな変化をもって、動くことができる。
通常の魚の動きの再現ではなく、接合部を、頭部から尾部にかけての長手方向に対して斜めにする事で、今までに無いルアーの動きをさせる。敢えて、通常の魚の動きと異なる動きを厭わず、ルアーの「アクション」、「捻れ」る動き（ツイストアクション）で魚を釣るルアーとなる。
更には、ルアー用尾の形状を大きくすることで、ルアーに本来の魚の動きに近いルアーアクションを生み出す。
【図面の簡単な説明】
【００１８】
【図１】この発明の実施の形態である第1実施例に係る正面図である。
【図２】この発明の実施の形態である第1実施例に係る平面図である。
【図３】この発明の実施の形態である第1実施例に係る斜視図である。
【図４】この発明の実施の形態である第２実施例に係る正面図である。
【図５】この発明の実施の形態である第２実施例に係る平面図である。
【図６】この発明の実施の形態である第２実施例に係る斜視図である。
【図７】この発明の実施の形態である第２実施例に係る正面断面図である。
【図８】この発明の実施の形態である第３実施例に係る正面図である。
【図９】この発明の実施の形態である第1実施例乃至第３実施例に取り付けられるルアー用尾の正面図である。
【図１０】この発明の実施の形態である第４実施例に係るルアー用尾の正面図である。
【図１１】この発明の実施の形態である第４実施例に係るルアー用尾の正面図である。
【発明を実施するための形態】
【００１９】
図１乃至図３に従い、第１実施例について、説明する。
１１は、本実施例にかかるルアーの本体部分である。ルアーの本体部分１１は、木製あるいはプラスチック製からなる。
本体部分１１は、頭部１２から尾部１３にかけて、複数の部分からなる。第１実施例では、頭部（前部）１２と尾部（後部）１３とを有する。
頭部１２と尾部１３との大きさ、サイズは異なる。頭部１２が尾部１３より大きく重い。尾部１３は頭部１２より軽くする事で、水の抵抗を受け動きやすくなる。本体部分１１は、全体として紡錘形からなる。頭部１２、尾部１３とも相互の取付け端面は断面中央部が膨らんだ凸状からなる。尾部１３の自由端は、幅狭となる。
５１は、ルアー用尾である。ルアー用尾５１は、本体部分１１尾部（後部）１３の後方部にスライド等で取り付けられる。
【００２０】
２１は、接合部である。接合部２１で、頭部１２と尾部１３の部分相互を接合する。第１実施例では、尾部１３を頭部１２の下にした。２１Ａは、頭部側接合部、２１Ｂは尾部側接合部であり、両者ほぼ同一長さからなる。
接合部２１は、頭部１２と尾部１３の部分相互は、頭部１２から尾部１３にかけての長手方向Ａに対して斜め方向に位置する。
本体部分１１に対する直角の輪切り状態に対して、接合部２１は斜めである。あるいは、想定される背骨に対して直角よりも斜めである。
【００２１】
２２は、連結部である。連結部２２は、接合部２１に沿って複数個設けられる。複数の連結部２２は、この実施例では、２か所からなるが、複数であれば３か所以上でもよい。
頭部１２と尾部１３の部分相互は、複数の連結部２２で取付けられる。平面断面形状では湾曲した凸部の頂点に連結部２２を設ける
この実施例では、接合部２１を長く取る一方接合部２１の頭部１２あるいは尾部１３端部の共同からして、頭部から尾部にかけての長手方向Ａに対して接合部２１は、斜め方向１５度から６０度が望ましく、この実施例では約３０度（Ｂ）からなる。
図１に図示される３１は、アイである。４１は、フックである。アイ３１は、本体部分１１の必要箇所に取り付ける。アイ３１の内、アイ３１Ａ、アイ３１Ｂ、アイ３１Ｃには、利用時に選択してそのうちのどれか一か所に、リードがとりつけられる。フック４１は、アイ３１Ｄ、アイ３１Ｅ、アイ３１Ｆも含め、リードがとりつけられていないアイ３１に選択して、取り付けられる。６１は、リップであって、頭部１２の下部にとりつけられる。
【００２２】
第１実施例では、ルアー本体を構成する部分１２、１３相互は、頭部から尾部にかけての長手方向Ａに対して斜め方向Ｂに位置する接合部に沿って設けられた複数の連結部２１で取付ける。そのため、接合部２１は、ルアー本体に対する垂直断面よりも長くとることができ、使用時に、３０度の斜め方向Ｂに位置する接合部２１に沿って、部分１２、１３相互は動き、従来のルアーには無いねじれの動きがアクションに加わる。
【００２３】
すなわち、一方の尾部１３側の接合部２１Ｂが他方の頭部側の接合部２１Ａに対して、接合部２１に沿って、ルアーの幅方向にダイナミックに、ねじれる動きをする。そのため、奇抜に、新たな変化をもって、動くことができる。
通常の魚の動きの再現ではなく、接合部２１を、頭部１２から尾部１３にかけての長手方向Ａに対して斜めＢにする事で、今までに無いルアーの動きをさせる。敢えて、通常の魚の動きと異なる動きを厭わず、ルアーの「アクション」、「捻れ」る動き（ツイストアクション）で魚を釣るルアーである。魚の動きに似せる事だけが、ルアーではないとの考えに基づく。
【００２４】
本実施例では、接合部２１を、頭部１２から尾部１３にかけての長手方向Ａに対して斜め方向Ｂに位置するようにしたうえで、同長手方向Ａに対して斜め方向Ｂに位置する接合部２１に沿って設けられた複数の連結部２２で頭部１２と尾部１３とを、連結する。
そのため、接合部を頭部１２から尾部１３にかけての長手方向Ａに対して直角にした場合に比し、接合部２１を長くとることができる。
非特許文献１記載発明のように、頭部１２と尾部１３とを、一点の連結部２２で接合すると、連結部２２を中心として回転するため、ルアーの幅方向全幅にわたってダイナミックに動くことは無く、動きは限られたものとなる。
それに対して、この実施例では、頭部１２あるいは尾部１３は、接合部２１幅全体で移動する。そのため、動きが大きくなり、ねじれる動きをして、ダイナミックに移動する。
【００２５】
図４乃至図７にしたがい、第２実施例について説明する。
第２実施例は、尾部１３を頭部１２の上にしたルアーである。その他は、第１実施例と同様である。尾部１３を頭部１２の下にしたため、水が当たりやすくなり水の抵抗を受けやすく、ダイナミックな動きとなる。
図４に図示されるアイ３１Ａ〜アイ３１Ｅでは、アイ３１Ａ、アイ３１Ｂ、アイ３１Ｃにリードを取り付けることが可能であるが、ルアー本体部分最先端のアイ３１Ａより下側の３１Ｂにリードは取り付けられる。アイ３１Ａにリードを取り付けた場合より、作動時のねじれが強い。アイ３１Ｄ、アイ３１Ｅには、フック４１を取り付ける。リップ６１は、頭部１２の下部に取り付けられる。
図７に図示される７１は、錘である。錘７１は、尾部１３より頭部１２に多く内部に設置することで、頭部１２に重心をもってくる。第１実施例でも同様に、錘７１を入れる。
【００２６】
図８にしたがい、第３実施例について説明する。
第３実施例は、多連結からなる。ルアーの本体部分１１は頭部（前部）１２と複数の尾部（後部）１３a、１３ｂ、１３ｃとを有する。第３実施例では、多連結となることで、より複雑な動きが可能となる。
頭部（前部）１２と複数の尾部（後部）１３a、１３ｂ、１３ｃのそれぞれの接合部２１は、頭部１２と尾部１３の部分相互は、頭部１２から尾部１３にかけての長手方向Ａに対して斜め方向Ｂに位置するが、この実施例では、傾斜方向は、交互に頭部１２側傾斜、尾部１３側傾斜に変え、より複雑な動きが可能となる。
【００２７】
図９において、５１は尾である。
尾５１は、この実施例では、棒状からなるが、魚の尾の形状からなってもよい。５２は、取付け部であって、尾部（後部）１３に取り付けられる。尾５１は、第１実施例、第２実施例、第３実施例に取り付けることが可能である。
【００２８】
図１０、図１１に基づいて、第４実施例について説明する。
第４実施例に係るルアーでは、ルアー用尾５１の形状を大きくすることで本来の魚の動きに近いルアーアクションを生み出す。従来のルアーのテールには無い、水を受けて捩じれる動きで「本来の魚の動きに近いルアーアクション」となる。
本来の魚は、内部の筋肉の作用自律的に動くが、ルアーは牽引するリードの操作により外部から他律的に動かされる点で、魚とルアーとでは駆動方法が元々異なっている。そのため魚と同様な形状にすれば、ルアーは本来の魚と同様な動きをすることにはならないとの認識に基づくものである。
【００２９】
ルアー用尾５１は、面状からなる。ルアー用尾５１は、ルアーを横に置いた状態すなわち寝かせた状態で、ルアー本体である本体部分１１の面積（１００パーセント）に対して、５０〜１００パーセントの大きなルアー用尾５１からなる。望ましくは、本体部分１１の面積（１００パーセント）に対して、ルアー用尾５１が６０パーセント乃至７０パーセントでは、本来の魚の動きに近いルアーアクションを実現することができる。更に望ましくは、本体部分１１の面積（１００パーセント）に対してルアー用尾５１は７０パーセントである。
【００３０】
本体部分１１の面積（１００パーセント）に対して、尾５１が５０パーセント乃至６０パーセントでは、アクションは弱い。
本体部分１１の面積（１００パーセント）に対して、ルアー用尾５１が５０パーセント以下では、本来の魚の動きに近いルアーアクションを生み出しにくい。
本体部分１１の面積（１００パーセント）に対して、ルアー用尾５１が７０パーセント乃至１００パーセントでは、ルアー用尾５１は動くが、後方が重くなり、水中のルアーが安定しにくくなる。
ルアー用尾５１を大きくすることで、重くなりルアーのバランス（安定）を崩す問題がある。あるいは、ルアー用尾５１が、厚い形状だと、ルアーが風を受けて飛ばない問題がある。この問題は、ルアー用尾５１の素材にエラストマー樹脂を用い、金型成型することでルアー用尾５１先を薄くし、柔らかい素材を使うことで、解決でき、艶めかしいアクションを実現することが可能である。
【００３１】
本体部分１１は、プラスチックまたはウッド素材からなる剛体からなる。ルアー用尾５１は、ゴム、エラストマー等の柔軟性を有する素材からなる。
ルアー本体である本体部分１１と、ルアー用尾５１への素材の切り替わる部分で、図１０に図示されるように、ルアーの本体部分１１とルアー用尾５１との区別の基準とする。
本体部分１１は、ジョイント部分を含めてプラスチックもしくはウッド素材のルアーを本体面積１００パーセントとする。
５２は、取付け部である。取付け部５２は、本体部分１１側の取付け部５２１と、ルアー用尾５１側の取付け部５２２とからなる。
【００３２】
図１１に図示するように、ルアー用尾５１の前方端は端部に沿って、当該部分の後部よりも径大状からなる取付け部５２２を設ける。本体部分１１側の尾部１３後端には、ルアー用尾５１側の取付け部５２２を嵌合可能なＣ字状あるいは凹状からなる本体部分１１側の取付け部５２１を設ける。径大状からなるルアー用尾５１側の取付け部５２２を、Ｃ字状あるいは凹状からなる本体部分１１側の取付け部５２１に一端から差し込んでルアー用尾５１と本体部分１１とを嵌合させて結合する。
尾５１も本体部分１１に斜めに取り付けてもよい。
本体部分１１側の尾部１３後端の形状と、尾５１側の取付け部５２２の形状を逆にして尾部１３と尾５１とを嵌合させてもよい。
ルアー用尾５１と本体部分１１との結合は、このようなスライド式の他、ルアー用尾５１先端に凸状からなるルアー用尾５１側の取付け部５２２を設け、本体部分１１側の尾部１３後端には、凹状からなる本体部分１１側の取付け部５２１を設け、凸状からなるルアー用尾５１側の取付け部５２２と、凹状からなる本体部分１１側の取付け部５２１とを差し込み嵌合することで、結合する。
【符号の説明】
【００３３】
１１    本体部分
１２    頭部
１３    尾部
２１    接合部
２２    連結部
５１    ルアー用尾
５２    取付け部
５２１  取付け部（本体部分側）
５２２  取付け部（尾側）
Ａ      長手方向
Ｂ      斜め方向
【図１】
2018068275.tif 000003
【図２】
2018068275.tif 000004
【図３】
2018068275.tif 000005
【図４】
2018068275.tif 000006
【図５】
2018068275.tif 000007
【図６】
2018068275.tif 000008
【図７】
2018068275.tif 000009
【図８】
2018068275.tif 000010
【図９】
2018068275.tif 000011
【図１０】
2018068275.tif 000012
【図１１】
2018068275.tif 000013